(57)【要約】【課題】簡素な直線状の刃を用いても破片の出難い切込みがなされるよう改良する。【解決手段】真っ直ぐな刃３１，３２を具備した裁断機構３０にて錠剤１０を裁断して半錠１０ａに分割する錠剤分割装置２０について、裁断機構３０に四節平行リンクを導入し、その対向二辺に刃３１，３２を装備して、対向二枚刃３１〜３２が、平行を保ちながら対向間隙を拡縮させて錠剤裁断を行うとともに、対向間隙拡縮に際して平行方向へ相対的にずれるようにする。これにより、引き切りのように切れ味よく錠剤１０が裁断される。また、裁断対象の錠剤１０を裁断機構３０のところに留め置く受止機構４０を昇降機構４４にて移動させて対向二枚刃３１〜３２に対する錠剤１０の留置位置を調整する。【選択図】        図１
2011083357.tif 000002
【特許請求の範囲】
【請求項１】
真っ直ぐな刃を具備した裁断機構にて錠剤を裁断して複数の錠剤裁断片に分割する錠剤分割装置において、前記刃が対向状態で二枚設けられ、前記裁断機構が、前記対向二枚刃を平行に保ちながらその対向間隙を拡縮させて錠剤裁断を行うものであって対向間隙拡縮に際して前記対向二枚刃を平行方向へ相対的にずらすようになっていることを特徴とする錠剤分割装置。
【請求項２】
前記裁断機構が四節平行リンクを具備したものであり、前記対向二枚刃が前記四節平行リンクの対向二辺に装備されていることを特徴とする請求項１記載の錠剤分割装置。
【請求項３】
裁断対象の錠剤を前記裁断機構のところに留め置く受止機構と、前記受止機構を移動させて前記対向二枚刃に対する前記錠剤の留置位置を調整する錠剤位置調整手段と、前記錠剤の薬剤情報を取得する情報取得手段と、その取得した薬剤情報に基づいて前記錠剤位置調整手段を作動させる制御手段とを備えたことを特徴とする請求項１又は請求項２に記載された錠剤分割装置。
【発明の詳細な説明】
【技術分野】
【０００１】
この発明は、錠剤を裁断して幾つかの錠剤裁断片に分割する錠剤分割装置に関する。
【背景技術】
【０００２】
錠剤を２片に分割する錠剤分割装置として、一錠ずつ受けた錠剤にカッターを押し下げて錠剤を裁断する従前の錠剤分割機の他、一錠単位で保持・収容されていた錠剤を一錠未満の単位で後続の包装装置等に自動供給できるよう、錠剤通過経路を断つ態様で切り込むことにより錠剤通過経路の中の錠剤を通過方向の先後に分割して錠剤裁断片を個々に排出する錠剤供給装置や（例えば特許文献１参照）、受けた錠剤をカッターの刃で上下に裁断して下側の錠剤裁断片は先に排出するが上側の錠剤裁断片はカッター上に一旦留め置き次のカッター動作にて遅れて排出する錠剤供給装置が実用化されている（例えば特許文献２参照）。また、薬剤を排出可能に収容する薬剤カセットを着脱可能に支持してその排出駆動を行うベース部に、薬剤カセットに付された識別情報を読み取る読取装置を付設した自動調剤装置も開発されている（例えば特許文献３参照）。
【先行技術文献】
【特許文献】
【０００３】
【特許文献１】特開平１１−２２６０８８号公報
【特許文献２】特開平１１−２２６０８９号公報
【特許文献３】特開２００５−１９２７０２号公報
【発明の概要】
【発明が解決しようとする課題】
【０００４】
ところで、従来の錠剤分割装置では、左右に分割するにしろ、上下に分割するにしろ、ほぼ真っ直ぐな刃を錠剤に向けて例えば斧の如く刃先から垂直に押し込むようにして裁断していた。この裁断手法は簡便である一方、目的の錠剤裁断片だけでなく目的外の無駄な破片が出ることがあり、不所望な破片が出ると比較的細かいとは言ってもその大きさも形も一定しないので、無駄になる分量を予測して予め対処しておくもできなかった。
これに対し、円板状の丸刃を回転させながら錠剤に切り込む裁断手法を用いれば、破片が出難いうえ、その代わりに出る粉塵は安定な僅少量になると、期待される。
【０００５】
しかしながら、回転刃で切り込む場合、一般的な手法では、回転運動をさせながら切込移動も行うことになるため、裁断機構が複雑で原価高になりやすいうえ、スループット（単位時間当り処理量，能率）が低下しがちである。
そこで、両者の利点を兼備した錠剤分割装置を実現することが基本的な課題となるが、具体的には、簡素で能率が良いうえ破片の出難い錠剤分割装置を実現すべく、簡素な直線状の刃を用いながらも切れ味の良い切込みがなされるよう裁断機構を改良することが、技術的な課題となる。
【課題を解決するための手段】
【０００６】
本発明の錠剤分割装置は（解決手段１）、このような課題を解決するために創案されたものであり、真っ直ぐな刃を具備した裁断機構にて錠剤を裁断して複数の錠剤裁断片に分割する錠剤分割装置において、前記刃が対向状態で二枚設けられ、前記裁断機構が、前記対向二枚刃を平行に保ちながらその対向間隙を拡縮させて錠剤裁断を行うものであって対向間隙拡縮に際して前記対向二枚刃を平行方向へ相対的にずらすようになっていることを特徴とする。
【０００７】
また、本発明の錠剤分割装置は（解決手段２）、上記解決手段１の錠剤分割装置であって、前記裁断機構が四節平行リンクを具備したものであり、前記対向二枚刃が前記四節平行リンクの対向二辺に装備されていることを特徴とする。
【０００８】
さらに、本発明の錠剤分割装置は（解決手段３）、上記解決手段１，２の錠剤分割装置であって、裁断対象の錠剤を前記裁断機構のところに留め置く受止機構と、前記受止機構を移動させて前記対向二枚刃に対する前記錠剤の留置位置を調整する錠剤位置調整手段と、前記錠剤の薬剤情報を取得する情報取得手段と、その取得した薬剤情報に基づいて前記錠剤位置調整手段を作動させる制御手段とを備えたことを特徴とする。
【発明の効果】
【０００９】
このような本発明の錠剤分割装置にあっては（解決手段１）、対向二枚刃が錠剤を挟んで両側から切り込むため、片側だけの切り込みに比べて、それぞれの刃の切込深さが半減するうえ、錠剤の変形も表裏対称に近づくので、破片の発生頻度も量も少なくなる。
しかも、対向二枚刃が平行方向へ相対的にずれながら錠剤に切り込むことから、刃先が錠剤に対し垂直でなく斜めに押し込まれるため、例えば刺身の引き切りのように切れ味が良くなるので、破片の発生頻度も量も更に少なくなる。
したがって、この発明によれば、簡素な直線状の刃を用いながらも切れ味の良い切込みがなされるように裁断機構が改良され、その結果、刃の部分が簡素で能率が良いうえ破片の出難い錠剤分割装置を実現することができる。
【００１０】
また、上述のような所望の機能を裁断機構に発揮させるために裁断機構において刃の枚数が増えるとともにその配置や動作に条件が課されているが、本発明の錠剤分割装置にあっては（解決手段２）、裁断機構を四節平行リンクにて具現化したことにより、裁断機構の複雑化が回避抑制されている。
したがって、この発明によれば、簡素な直線状の刃の使用を踏襲したうえで、その周りにも簡素な機構を採用したことにより、裁断機構全体が簡素で能率が良いうえ破片の出難い錠剤分割装置を実現することができる。
【００１１】
さらに、本発明の錠剤分割装置にあっては（解決手段３）、裁断対象の錠剤の受け止め位置が薬剤情報に基づいて自動調整されるようにしたことにより、種々の錠剤に対して形状が異なっていても切断・裁断が自動的に適切な部位で行われることとなる。
したがって、この発明によれば、簡素で能率が良いうえ破片が出難く更には各種錠剤に自動で対応できる錠剤分割装置を実現することができる。
【図面の簡単な説明】
【００１２】
【図１】本発明の実施例１について、錠剤分割装置の構造を示し、要部機構の展開斜視図である。
【図２】（ａ）〜（ｃ）いずれも錠剤通過経路周辺の簡略正面図である。
【図３】（ａ）〜（ｅ）いずれも錠剤通過経路周辺の簡略正面図である。
【図４】（ａ）〜（ｄ）いずれも裁断機構の平面図である。
【図５】本発明の実施例２について、錠剤分割装置の要部構造を示し、（ａ）〜（ｂ）いずれも裁断機構と受止機構の斜視図である。
【図６】本発明の実施例３について、錠剤分割装置の構造を示し、（ａ）が平面図、（ｂ）が正面図、（ｃ）が右側面図、（ｄ）が錠剤カセットを外したところの右側面図である。
【図７】（ａ）が一部断面で示した要部機構の背面図、（ｂ）が錠剤案内部材のＡＡ矢視断面図である。
【図８】（ａ）〜（ｄ）いずれも一部断面で示した錠剤通過経路周辺の背面図である。
【図９】本発明の実施例４について、錠剤分割装置の構造を示し、要部機構の簡略立面図である。
【発明を実施するための形態】
【００１３】
このような本発明の錠剤分割装置について、これを実施するための具体的な形態を、以下の実施例１〜４により説明する。
図１〜４に示した実施例１は、上述した解決手段１〜３（出願当初の請求項１〜３）を具現化したものであり、図５に示した実施例２や、図６〜８に示した実施例３、図９に示した実施例４は、その変形例である。
なお、それらの図示に際しては、簡明化等のため、ボルト等の締結具や，モータドライバ等の電気回路，コントローラ等の電子回路の詳細などは図示を割愛し、発明の説明に必要なものや関連するものを中心に図示した。
【実施例１】
【００１４】
本発明の錠剤分割装置の実施例１について、その具体的な構成を、図面を引用して説明する。図１は、錠剤分割装置２０の要部機構の展開斜視図であり、筐体や支持部材などの図示は割愛している。また、図２（ａ）〜（ｃ）は、いずれも、錠剤通過経路をなす錠剤案内部材２５とそれに臨んで設けられた対向二枚刃３１〜３２及び受止機構４０の簡略正面図である。
【００１５】
この錠剤分割装置２０は（図１参照）、錠剤カセット１５を着脱自在な錠剤フィーダベース部２１と、そこの錠剤導入部２３と共に錠剤通過経路を囲っている錠剤案内部材２５と、錠剤１０を上下に裁断する裁断機構３０と、裁断機構３０の下方で裁断対象の錠剤１０を裁断機構３０のところに留め置く受止機構４０と、受止機構４０を上下方向に移動させる昇降機構４４とを具えている。なお、錠剤カセット１５は、適宜取り替えられるものであり、ベース部２１に装着されて錠剤１０を一錠ずつ排出できれば足り、その底面にはカセット識別情報が例えばバーコード印刷で付されている（特許文献３参照）。
【００１６】
錠剤フィーダベース部２１には（図１，特許文献１〜３参照）、錠剤カセット１５の排出駆動を担うギアやモータと、例えばバーコードリーダからなり錠剤カセット１５のカセット識別情報を読み取る識別情報読取部２２と、カセット錠剤通過経路の先頭部分を囲う錠剤導入部２３とが装備されている。また、錠剤導入部２３には、錠剤カセット１５から排出された錠剤１０の投入される貫通穴が形成されており、錠剤カセット１５から落下して錠剤導入部２３を通過する錠剤１０を検出する錠剤検出部材２４が付設されている。
【００１７】
裁断機構３０は（図１参照）、錠剤通過経路の途中に配設された四節平行リンクを主体にしたものであり、その四節平行リンクの長辺側の対向二辺に二枚の刃３１，３２を一枚ずつ分けて装備している。その刃３１，３２は、何れも、真っ直ぐな刃からなり、刃先を向け合う対向状態で、而も平行状態で、対向二枚刃となっている。裁断機構３０の四節平行リンクの短辺側の一方には従動ギヤ３３が設けられており、これと噛合する駆動ギヤ３４が電動モータ３５にて双方向回転させられると、四節平行リンクが長方形状に広がって錠剤通過経路を開けたり単板状に閉じて錠剤通過経路を塞いだりし、それに随伴して対向二枚刃３１〜３２が離接するが、常態では離隔し裁断時に当接するようになっている。
【００１８】
受止機構４０も（図１参照）、裁断機構３０と同様に錠剤通過経路の途中に配設された四節平行リンクを主体にしたものであるが、刃３１，３２は装備していない。受止機構４０の四節平行リンクの短辺側の一方には従動ギヤ４１が設けられており、これと噛合する駆動ギヤ４２が電動モータ４３にて双方向回転させられると、やはり四節平行リンクが長方形状に広がって錠剤通過経路を開けたり単板状に閉じて錠剤通過経路を塞いだりするが、受止機構４０は、常態で閉じて錠剤１０を受け止め、錠剤１０やその錠剤裁断片である半錠１０ａ等を落下排出させる時には開くようになっている。
【００１９】
錠剤案内部材２５は（図１では下端部だけ図示、全体は図２を参照）、全体か少なくとも裁断機構３０の近傍部分が相互距離を変えうる複数部材の組み合わせからなり、それの囲っている錠剤通過経路の幅や径を拡縮しうるようになっている。そして、それと上述の昇降機構４４とが制御装置の制御に従って協動するようにしたことにより、形状の異なる各種の錠剤について対向二枚刃３１〜３２に対する錠剤の留置位置を適切に調整する錠剤位置調整手段が具現化されている。具体的には、裁断対象の錠剤の薬剤情報に基づいて錠剤案内部材２５が拡縮するとともに受止機構４０が上下動することで錠剤留置位置が自動調整されるようになっている。
【００２０】
例えば、小さくて丸い錠剤１０については（図２（ａ）参照）、錠剤案内部材２５が幅を狭めるとともに受止機構４０が上昇し、大きくて丸い錠剤１１については（図２（ｂ）参照）、錠剤案内部材２５が幅を広げるとともに受止機構４０が下降し、長丸状の錠剤１２については（図２（ｃ）参照）、錠剤案内部材２５が幅を狭めるとともに受止機構４０が下降する。何れの錠剤にしろ、受止機構４０に留め置かれたときには、錠剤案内部材２５の囲う錠剤通過経路の中で姿勢が安定するとともに、所期の裁断部位が対向二枚刃３１〜３２の間に位置するようになっている。
【００２１】
この実施例１の錠剤分割装置２０について、その使用態様及び動作を、図面を引用して説明する。図３（ａ）〜（ｅ）は、いずれも、錠剤通過経路を囲う錠剤案内部材２５とそれに臨んで設けられた対向二枚刃３１〜３２と受止機構４０と錠剤検出部材２４，２６の簡略正面図であり、図４（ａ）〜（ｄ）は、いずれも、裁断機構３０の平面図である。
【００２２】
錠剤分割装置２０に電源を投入した直後の装置始動時や，錠剤分割装置２０の錠剤フィーダベース部２１に錠剤カセット１５を装着した時には、その底面のカセット識別情報が識別情報読取部２２にて読み取られ、そのカセット識別情報から制御装置のデータベース検索等によって薬剤情報が取得される。各種薬剤を収容した多数の錠剤カセット１５のうち錠剤分割装置２０に装着される可能性のあるものについてはそのカセット識別情報と収容薬剤の薬剤情報が予めデータベースに設定されており、それにアクセスすることで、裁断対象の錠剤１０を適切に裁断するのに必要な情報，特に形状情報が得られる。
【００２３】
そして、その薬剤情報に基づいて錠剤案内部材２５の拡縮と受止機構４０の上下動が行われて自動調整されると、裁断機構３０の対向二枚刃３１〜３２が常態の開状態をとるとともに受止機構４０が常態の閉状態をとっていることを前提として、錠剤裁断の準備が調う（図３（ａ）参照）。そして、錠剤カセット１５から錠剤１０が排出され、その落下が錠剤検出部材２４によって検出され、更に所定時間が経過すると、錠剤１０が更に落下してから受止機構４０により受け止められて対向二枚刃３１〜３２の間に留め置かれる（図３（ｂ）参照）。その留置位置は、錠剤１０を均等に二分割するのであれば、錠剤１０の中央が対向二枚刃３１〜３２の間に来ることとなる。
【００２４】
それから、裁断機構３０の対向二枚刃３１〜３２が刃先を接近させて当接し合い、それによって錠剤１０が上下に二分割される（図３（ｃ）参照）。その状態から、先ず、受止機構４０が開いて、下側の錠剤裁断片である半錠１０ｂが落下する（図３（ｄ）参照）。次に、対向二枚刃３１〜３２も開いて、上側の錠剤裁断片である半錠１０ａも落下する。こうして、裁断対象の錠剤１０が一錠ずつ裁断機構３０に送り込まれて対向二枚刃３１〜３２によって裁断され、錠剤裁断片が個々に落下排出される。なお、裁断機構３０も受止機構４０も開いていれば、錠剤１０が単に通過して落下するので、錠剤１０を裁断しないでそのまま排出することもできる。
【００２５】
また、裁断機構３０にて錠剤１０を裁断するときには、四節平行リンクが長方形状になっていて対向二枚刃３１〜３２が開いていると（図４（ａ）参照）、その間に錠剤１０が入ってきて裁断の準備が調ったら（図４（ｂ）参照）、四節平行リンクが菱形に変形して対向二枚刃３１〜３２の対向間隙が狭まり（図４（ｃ）参照）、対向二枚刃３１〜３２の刃先が触れ合うときには錠剤１０が完全に切断されるが（図４（ｄ）参照）、その際、対向二枚刃３１〜３２は平行方向へ相対的にずれるので、錠剤１０の表裏から逆向きに引き切り様の切り込みがなされるので、錠剤１０は綺麗に裁断される。
【実施例２】
【００２６】
図５（ａ），（ｂ）に裁断機構３０と受止機構４０の斜視図を示した本発明の錠剤分割装置が上述した実施例１のものと相違するのは、駆動ギヤ４２の駆動を駆動ギヤ３４と一緒に電動モータ３５が行うようになった点である。これにより、電動モータ４３が不要になって、その分だけ機構部が簡素化されている。そして、裁断機構３０が開くのと並行して受止機構４０が閉じる一方（図５（ａ）参照）、裁断機構３０が閉じるのと並行して受止機構４０が開くようになっている（図５（ｂ）参照）。
【００２７】
この場合、裁断対象の錠剤を受け入れるときには裁断機構３０が開くとともに受止機構４０が閉じ（図５（ａ）参照）、受止機構４０にて留め置かれた錠剤を裁断するときには裁断機構３０が閉じるとともに受止機構４０が開く（図５（ｂ）参照）。裁断機構３０の閉動作によって錠剤は上下に分割され、そうすると、下側の半錠は落下するが、上側の半錠は裁断機構３０の上にとどまる。そして、もう一回、裁断機構３０が開閉するとともに受止機構４０が閉開すると、上側の半錠も落下する。
こうして、この場合も、錠剤が上下に分割されて、錠剤裁断片が個々に排出される。
【実施例３】
【００２８】
本発明の錠剤分割装置の実施例３について、その具体的な構成を、図面を引用して説明する。図６（ａ）〜（ｃ）は、錠剤カセット１５を装着した錠剤分割装置５０の全体外観を示し、（ａ）が平面図、（ｂ）が正面図、（ｃ）が右側面図である。また、図６（ｄ）は、錠剤分割装置５０から錠剤カセット１５を外したところの右側面図である。さらに、図７は、（ａ）が一部断面で示した要部機構の背面図、（ｂ）が錠剤案内部材２５のＡＡ矢視断面図である。また、図８（ａ）〜（ｄ）は、いずれも一部断面で示した錠剤通過経路周辺の背面図である。
【００２９】
この錠剤分割装置５０は（図６参照）、独立した卓上型の専用機として使いやすいよう、前面上部の傾斜面に表示部５３や操作部５２を装備した小さな筐体５１にコンパクト実装されている。錠剤フィーダベース部２１は筐体５１の上面に装備され、その斜め下方には裁断機構３０と共に錠剤案内部材２５が内蔵され、その下には引出可能な半錠受箱５５が差し込まれている。制御装置５４や電源なども筐体５１に内蔵されている。
【００３０】
なお、これらのうち上述の実施例１，２で言及しなかったことは、必ずしも相違点でなく、ここまで説明を遅らせたにすぎない。
この錠剤分割装置５０が上述した実施例１の錠剤分割装置２０と相違する主な点は（図７参照）、受止機構４０及び電動モータ４３に代えて受止部材５６及び電動モータ５７が導入された点と、錠剤案内部材２５が拡縮しなくなった点と、錠剤案内部材２５が鉛直でなく傾斜している点と、錠剤案内部材２５の傾斜に伴って同じ傾斜角だけ裁断機構３０と受止部材５６も傾斜している点である。
【００３１】
錠剤案内部材２５は、錠剤導入部２３の直下部分を除いて、錠剤通過経路をなす大部分が全体的に鉛直から角度θほど傾斜するとともに（図７（ａ）参照）、各部の断面においても鉛直から角度φほど傾斜している（図７（ｂ）参照）。傾斜角θは、錠剤１０が錠剤案内部材２５の下側内面を転がり落ちるか滑り落ちるよう比較的大きく例えば４５゜にされるが、傾斜角φは錠剤１０が軽く寄り掛かる程度で良いので傾斜角θより小さく例えばは１５゜にされる。このように傾斜させた錠剤案内部材２５は、拡縮しない簡素な部材になっていても、落下する錠剤を下側の二辺で接触支持するので、形やサイズの異なる各種錠剤について落下案内時の姿勢を安定させることができるものとなっている。
【００３２】
受止部材５６は、開閉変形などしない簡素な単板になったうえ（図７（ａ）参照）、電動モータ５７の駆動によって錠剤案内部材２５の囲う錠剤通過経路を上り下りするだけになっている。そして、長丸状の錠剤１２を裁断機構３０の所に留め置くときには錠剤案内部材２５の下端近傍に位置し（図８（ａ）参照）、大きくて丸い錠剤１１については裁断機構３０に少し近づき（図８（ｂ）参照）、小さくて丸い錠剤１０については裁断機構３０に最接近するようになっている（図８（ｃ）参照）。
【００３３】
このような錠剤留置位置の調整動作は上述したのと同様であるが、裁断して出来た半錠１０ａ，１０ｂや裁断せずに通過させる錠剤１０を半錠受箱５５に落下させるときには、上述したのと異なり、受止部材５６が大きく下がるようになっている（図８（ｄ）参照）。すなわち、受止部材５６が下がって、受止部材５６と錠剤案内部材２５との離隔距離が広がり、錠剤案内部材２５の下端の先が十分に解放されると、錠剤や錠剤裁断片がそこを通過して落下するようになっている。
【００３４】
この場合、錠剤案内部材２５が固定部材になり、受止部材５６の動作が単一になって、それらの駆動を担う機構やモータが削減や簡素化されているが、この場合も、滞りなく、錠剤が上下に分割されて、錠剤裁断片が個々に排出される。
【実施例４】
【００３５】
図９に要部機構の簡略立面図を示した本発明の錠剤分割装置が上述した実施例３のものと相違するのは、裁断機構３０が錠剤案内部材２５と受止部材５６との間に介挿設置されて錠剤案内部材２５の傾斜方向と受止部材５６の傾斜方向との真ん中の方向を向いている点である。図示した具体例の場合、裁断機構３０が鉛直になっており、錠剤案内部材２５が鉛直から反時計回りに４５゜ほど傾き、受止部材５６が鉛直から時計回りに４５゜ほど傾いている。
【００３６】
この場合、裁断機構３０を基準にした錠剤案内部材２５の線対称位置Ｂに受止部材５６が来ていれば、径の大小に拘わらず円形や球形の丸い錠剤は二等分される。それ以外の形状たとえば長丸状の錠剤が裁断対象のときには、その薬剤情報の示す形状に応じて適宜な位置Ｃに受止部材５６が移動し、さらに錠剤や錠剤裁断片を落下させるときには、裁断機構３０や錠剤案内部材２５の下端から十分に離れて錠剤通過に適う位置Ｄまで受止部材５６が大きく移動する。そのため、この場合も、滞りなく、錠剤が上下に分割されて、錠剤裁断片が個々に排出される。
【００３７】
［その他］
上記実施例では、識別情報読取部２２で読み取ったカセット識別情報から薬剤情報を検索して錠剤の形状を把握するようになっていたが、操作部５２を操作して錠剤形状情報や処理錠数を入力し、それを表示部５３で目視確認するようにしても良い。あるいは、錠剤案内部材２５などに例えばライン型ＣＣＤからなる測長器を設け、その測長結果に応じて受止機構４０や受止部材５６を移動させるようにしても良く、そうすることにより、薬剤情報のデータベースが不要になるので、初期設定やデータ更新の作業が軽減される。
【産業上の利用可能性】
【００３８】
本発明の錠剤分割装置は、上述した実施例のように単独の錠剤分割機として具体化される他、既述した特許文献１，２の装置のように錠剤分包機等に組み込んでも良い。
【符号の説明】
【００３９】
１０…錠剤、１０ａ，１０ｂ…半錠（錠剤裁断片）、
１１，１２…錠剤、１５…錠剤カセット、
２０…錠剤分割装置、
２１…錠剤フィーダベース部、２２…識別情報読取部、
２３…錠剤導入部（錠剤通過経路）、２４…錠剤検出部材、
２５…錠剤案内部材（錠剤通過経路）、２６…半錠検出部材、
３０…裁断機構（四節平行リンク）、３１，３２…刃、
３３…従動ギヤ、３４…駆動ギヤ、３５…電動モータ、
４０…受止機構（四節平行リンク）、４１…従動ギヤ、
４２…駆動ギヤ、４３…電動モータ、４４…昇降機構、
５０…錠剤分割装置、５１…筐体、
５２…操作部、５３…表示部、５４…制御装置、
５５…半錠受箱、５６…受止部材、５７…電動モータ
【図１】
2011083357.tif 000003
【図２】
2011083357.tif 000004
【図３】
2011083357.tif 000005
【図４】
2011083357.tif 000006
【図５】
2011083357.tif 000007
【図６】
2011083357.tif 000008
【図７】
2011083357.tif 000009
【図８】
2011083357.tif 000010
【図９】
2011083357.tif 000011